(57)【要約】【課題】内倒し兼内開き（または内開き兼内倒し）窓における内開きの開閉機構を改良するとともに意匠性の向上も図ることができる建具を提供すること。【解決手段】第１支持装置２０および第２支持装置３０を介して障子１０が窓枠３に支持されているので、従来のようなヒンジ部材が室内側に露出することなく、第１支持装置２０や第２支持装置３０が室内側に露出しないように隠蔽でき、内倒し兼内開き窓１の意匠性を向上させることができる。そして、第１支持装置２０および第２支持装置３０によって障子１０を縦辷り出し窓と同様の開閉形式で支持可能になり、多様な障子の開閉形式に対応させることができるとともに、内開き時の障子１０の垂れ下がりを防止することができる。【選択図】図１
2008180046.tif 000002
【特許請求の範囲】
【請求項１】
上枠、下枠、および左右の縦枠を有する窓枠と、この窓枠に支持されて内倒し開閉かつ内開き開閉可能な障子とを備えた建具であって、
前記障子は、上框、下框、および左右の縦框を四周框組みした内部に設けられた面材を有して構成されるとともに、前記上框が上部支持手段を介して前記上枠に連結され、前記下框が下部支持手段を介して前記下枠に連結されており、
前記左右の縦框のうち、内開き時に開放側となる一方の縦框には、閉鎖位置、内倒し位置および内開き位置の各位置間を回動操作可能にされた操作ハンドルと、この操作ハンドルの回動操作に連動して当該一方の縦框の長手方向に沿って移動する縦連動部材とが設けられ、
前記上框には、前記縦連動部材に連結されて当該上框の長手方向に沿って移動し、かつ前記上部支持手段まで延びた上連動部材が設けられ、前記上部支持手段は、前記操作ハンドルの回動操作に伴う前記上連動部材の移動に対応して閉鎖、内倒しおよび内開きの各状態に切り替え可能に構成され、
前記下部支持手段は、前記下枠に固定される下部支持ベース部材と、この下部支持ベース部材に基端側が回動自在に連結される下部支持回動部材と、この下部支持回動部材の先端側に連結されかつ前記障子に固定される下部支持取付部材とを少なくとも有するとともに、前記障子の内倒し時において前記下部支持取付部材が前記下部支持回動部材に対して室内側に倒れ、前記障子の内開き時において前記下部支持回動部材が室内側に回動するように構成され、
前記下部支持ベース部材には、前記下部支持回動部材の回動軸よりも室外側にて当該下部支持回動部材の上方への移動を規制する規制部が設けられている建具。
【請求項２】
前記下部支持ベース部材の規制部は、当該下部支持ベース部材に設けられた立上片と、この立上片に設けられた挿通孔とを有して構成され、
前記下部支持回動部材の基端側には、前記挿通孔に挿通されて当該挿通孔の上辺部に当接可能な被規制部が設けられている請求項１に記載の建具。
【請求項３】
前記下部支持ベース部材における立上片の室外面および室内面の少なくとも一方には、前記挿通孔の上辺部に沿った補強片が固定されている請求項２に記載の建具。
【請求項４】
前記下部支持手段は、前記下部支持ベース部材と、前記下部支持回動部材と、前記下部支持取付部材と、前記下部支持ベース部材に一端が軸支される下部支持第１リンク部材と、前記下部支持回動部材の基端部に一端が軸支され他端が前記下部支持第１リンク部材の中間位置に軸支される下部支持第２リンク部材と、前記下部支持回動部材の先端側および前記下部支持第１リンク部材の他端に回動自在に連結される下部支持第３リンク部材とを有して構成され、前記下部支持第３リンク部材に前記下部支持取付部材が連結され、
前記障子の内開き時において、前記下部支持第１リンク部材の他端側が室内側に回動するとともに、前記下部支持回動部材の基端部の回動軸が前記下部支持第１リンク部材の一端側にスライドしつつ当該下部支持回動部材が室内側に回動し、これらの下部支持第１リンク部材および下部支持回動部材の回動に連動して前記下部支持第３リンク部材、下部支持取付部材が回動し、前記障子の吊元側となる他方の縦框が縦枠から離れつつ室内側に移動して当該障子が内開きされる請求項１から請求項３のいずれかに記載の建具。
【請求項５】
前記上部支持手段は、前記上枠に固定される上部支持ベース部材と、この上部支持ベース部材に上部リンク機構を介して基端側が連結されて先端側が室内側に回動自在に支持される上部支持回動部材と、この上部支持回動部材の先端側に連結されかつ前記障子の上框に固定される上部支持取付部材とを少なくとも有して構成され、
前記上部支持取付部材には、前記上連動部材に固定された連動ピンを挿通可能な長孔が形成され、前記上部支持回動部材には、前記操作ハンドルが閉鎖位置および内開き位置にある場合に前記上連動部材の連動ピンと係合可能で、前記操作ハンドルが内倒し位置にある場合に前記連動ピンとの係合が外れる係合長孔が形成され、
前記障子の内倒し時において、前記上部支持回動部材の先端側が室内側に回動するとともに、前記連動ピンと前記係合長孔との係合が外れることで前記上部支持回動部材に対して前記上部支持取付部材が回動し、前記上框が前記上枠に略平行な状態で前記障子が内倒しされ、
前記障子の内開き時において、前記上部支持回動部材の先端側が室内側に回動するとともに、前記連動ピンと前記係合長孔との係合により前記上部支持回動部材と一体に前記上部支持取付部材が回動し、前記障子の吊元側となる他方の縦框が縦枠から離れつつ室内側に移動して当該障子が内開きされる請求項１から請求項４のいずれかに記載の建具。
【発明の詳細な説明】
【技術分野】
【０００１】
本発明は、建具に関し、詳しくは、障子が内倒し開閉かつ内開き開閉可能に支持された建具に関する。
【背景技術】
【０００２】
住宅等の外壁開口部に設けられる建具（サッシ窓）として、内倒し開閉かつ内開き開閉可能な障子を有した内倒し兼内開き窓（キップ・ドレー窓、または内開き兼内倒し窓であるドレー・キップ窓）が知られている（例えば、特許文献１参照）。
特許文献１に記載された内倒し兼内開き窓は、窓枠と、窓枠に支持された障子とを備えて構成されている。そして、障子の吊り元側の縦枠下部と下枠との交差部には、鉛直軸（内開き軸用回動軸）および水平軸（内倒し軸用回動軸）の二軸回りに障子を回動支持する二軸支持部が設けられ、吊り元側の縦枠上部と上枠との交差部には、鉛直軸（内開き軸用回動軸）回りに障子を回動支持可能な内開き用支持部が設けられ、下枠には、水平軸（内倒し軸用回動軸）回りに障子を回動支持可能な内倒し用支持部が設けられている。一方、障子の戸先側縦框には、閉鎖位置、内倒し位置および内開き位置の各位置間を回動操作可能にされた操作ハンドルと、この操作ハンドルの回動操作に連動して戸先側縦框、下框および吊り元側縦框の障子外周に沿って移動する連動部材とが設けられている。そして、連動部材における前記内開き用支持部位置には、その鉛直軸と係脱可能な第１係合部が設けられ、連動部材における前記内倒し用支持部位置には、その水平軸と係脱可能な第２係合部が設けられている。
【０００３】
以上のような内倒し兼内開き窓において、操作ハンドルを内倒し位置に操作（例えば、閉鎖位置から９０°回動操作）した場合には、第２係合部と内倒し用支持部とが係合されかつ第１係合部と内開き用支持部との係合が外れることで、障子が内倒し開閉可能になり、操作ハンドルを内開き位置に操作（例えば、閉鎖位置から１８０°回動操作）した場合には、第１係合部と内開き用支持部とが係合されかつ第２係合部と内倒し用支持部との係合が外れることで、障子が内開き開閉可能になっている。
【０００４】
【特許文献１】実公平６−１１３４９号公報
【発明の開示】
【発明が解決しようとする課題】
【０００５】
ところで、前記特許文献１に記載されたような従来の内倒し兼内開き窓では、内開きの際に障子と窓枠との干渉を避けるために、障子の吊り元側における二軸支持部および内開き用支持部の鉛直軸（内開き軸用回動軸）が障子の室内面よりも室内側に位置し、これらの鉛直軸用ヒンジ部材が室内側に露出して設けられている。このため、従来の内倒し兼内開き窓では、一般的な縦辷り出し窓と同様の内開きの開閉機構を構成することが困難であるとともに、ヒンジ部材が室内に露出することから窓の意匠性が劣ってしまうという問題もある。
【０００６】
本発明の目的は、内倒し兼内開き（または内開き兼内倒し）窓における内開きの開閉機構を改良するとともに意匠性の向上も図ることができる建具を提供することにある。
【課題を解決するための手段】
【０００７】
本発明の建具は、上枠、下枠、および左右の縦枠を有する窓枠と、この窓枠に支持されて内倒し開閉かつ内開き開閉可能な障子とを備えた建具であって、前記障子は、上框、下框、および左右の縦框を四周框組みした内部に設けられた面材を有して構成されるとともに、前記上框が上部支持手段を介して前記上枠に連結され、前記下框が下部支持手段を介して前記下枠に連結されており、前記左右の縦框のうち、内開き時に開放側となる一方の縦框には、閉鎖位置、内倒し位置および内開き位置の各位置間を回動操作可能にされた操作ハンドルと、この操作ハンドルの回動操作に連動して当該一方の縦框の長手方向に沿って移動する縦連動部材とが設けられ、前記上框には、前記縦連動部材に連結されて当該上框の長手方向に沿って移動し、かつ前記上部支持手段まで延びた上連動部材が設けられ、前記上部支持手段は、前記操作ハンドルの回動操作に伴う前記上連動部材の移動に対応して閉鎖、内倒しおよび内開きの各状態に切り替え可能に構成され、前記下部支持手段は、前記下枠に固定される下部支持ベース部材と、この下部支持ベース部材に基端側が回動自在に連結される下部支持回動部材と、この下部支持回動部材の先端側に連結されかつ前記障子に固定される下部支持取付部材とを少なくとも有するとともに、前記障子の内倒し時において前記下部支持取付部材が前記下部支持回動部材に対して室内側に倒れ、前記障子の内開き時において前記下部支持回動部材が室内側に回動するように構成され、前記下部支持ベース部材には、前記下部支持回動部材の回動軸よりも室外側にて当該下部支持回動部材の上方への移動を規制する規制部が設けられていることを特徴とする。
【０００８】
ここで、操作ハンドルの回動操作手順としては、閉鎖位置から内倒し位置を経由して内開き位置に至るもの（つまり、建具がキップ・ドレー窓であるもの）でもよく、あるいは閉鎖位置から内開き位置を経由して内倒し位置に至るもの（つまり、建具がドレー・キップ窓であるもの）でもよい。そして、各位置間の操作ハンドルの回動角度としては、９０°に設定したものが一般的であるが、任意の角度に設定可能である。
【０００９】
以上の本発明によれば、上部支持手段を介して障子の上框を上枠に連結し、下部支持手段を介して障子の下框を下枠に連結したことで、上部支持手段を上枠と上框との間に配置し、下部支持手段を下枠と下框との間に配置し、これらの上部支持手段および下部支持手段が室内側に露出しないように隠蔽でき、建具の意匠性を向上させることができる。そして、上部支持手段および下部支持手段を上述のように配置したことで、これらの内開き開閉機構として、複数のリンクを用いた縦辷り出し窓と同様の機構を用いることが可能になり、多様な障子の開閉形式に対応させることができるようになる。
また、下部支持手段において、下部支持ベース部材の規制部によって下部支持回動部材の基端側の上方への移動を規制することで、下部支持回動部材の先端側で支持する障子の重量を梃子の作用により確実に支持することができる。すなわち、下部支持回動部材の先端側が室内側に回動し、吊り元側の縦框が室内側に移動するような縦辷り出し窓と同様の開閉形式を採用した場合でも、下部支持回動部材の基端側に作用する偏心モーメントを規制部から下部支持ベース部材および下枠に確実に伝達し、内開き時の障子の垂れ下がりを防止することができる。
【００１０】
この際、本発明の建具では、前記下部支持ベース部材の規制部は、当該下部支持ベース部材に設けられた立上片と、この立上片に設けられた挿通孔とを有して構成され、前記下部支持回動部材の基端側には、前記挿通孔に挿通されて当該挿通孔の上辺部に当接可能な被規制部が設けられていることが好ましい。
さらに、本発明の建具では、前記下部支持ベース部材における立上片の室外面および室内面の少なくとも一方には、前記挿通孔の上辺部に沿った補強片が固定されていることが好ましい。
このような構成によれば、下部支持ベース部材の立上片に挿通孔を設けて規制部を構成し、下部支持回動部材の基端側に設けた被規制部を挿通孔に挿通して上辺部に当接させるだけの簡単な構造により障子の重量を確実に支持することができる。そして、挿通孔の上辺部に沿った補強片を立上片に固定すれば、下部支持ベース部材全体や立上片全長の板厚を厚くしなくても、被規制部が当接する挿通孔の上辺部近傍のみを補強することができ、安価かつ確実に規制部の支持強度を高めることができる。
【００１１】
また、本発明の建具では、前記下部支持手段は、前記下部支持ベース部材と、前記下部支持回動部材と、前記下部支持取付部材と、前記下部支持ベース部材に一端が軸支される下部支持第１リンク部材と、前記下部支持回動部材の基端部に一端が軸支され他端が前記下部支持第１リンク部材の中間位置に軸支される下部支持第２リンク部材と、前記下部支持回動部材の先端側および前記下部支持第１リンク部材の他端に回動自在に連結される下部支持第３リンク部材とを有して構成され、前記下部支持第３リンク部材に前記下部支持取付部材が連結され、前記障子の内開き時において、前記下部支持第１リンク部材の他端側が室内側に回動するとともに、前記下部支持回動部材の基端部の回動軸が前記下部支持第１リンク部材の一端側にスライドしつつ当該下部支持回動部材が室内側に回動し、これらの下部支持第１リンク部材および下部支持回動部材の回動に連動して前記下部支持第３リンク部材、下部支持取付部材が回動し、前記障子の吊元側となる他方の縦框が縦枠から離れつつ室内側に移動して当該障子が内開きされることが好ましい。
このような構成によれば、下部支持回動部材と第１〜第３のリンク部材とを組み合わせて下部支持手段を構成し、内開き時に障子の吊元側の縦框が縦枠から離れつつ室内側に移動するように構成したことで、縦辷り出し窓と同様の開閉形式とすることができる。従って、障子の室内面において上框、下框、および左右の縦框から見付け方向外方に延びる突片を設けるとともに、これらの突片と窓枠との間に気密ラインを設けた気密構造を採用した場合でも、突片が窓枠と干渉することなく、円滑に障子の開閉を実施することができる。さらに、突片によって上部支持手段および下部支持手段や連動部材を隠蔽することもでき、建具の意匠性を良好なものにすることができる。
【００１２】
さらに、本発明の建具では、前記上部支持手段は、前記上枠に固定される上部支持ベース部材と、この上部支持ベース部材に上部リンク機構を介して基端側が連結されて先端側が室内側に回動自在に支持される上部支持回動部材と、この上部支持回動部材の先端側に連結されかつ前記障子の上框に固定される上部支持取付部材とを少なくとも有して構成され、前記上部支持取付部材には、前記上連動部材に固定された連動ピンを挿通可能な長孔が形成され、前記上部支持回動部材には、前記操作ハンドルが閉鎖位置および内開き位置にある場合に前記上連動部材の連動ピンと係合可能で、前記操作ハンドルが内倒し位置にある場合に前記連動ピンとの係合が外れる係合長孔が形成され、前記障子の内倒し時において、前記上部支持回動部材の先端側が室内側に回動するとともに、前記連動ピンと前記係合長孔との係合が外れることで前記上部支持回動部材に対して前記上部支持取付部材が回動し、前記上框が前記上枠に略平行な状態で前記障子が内倒しされ、前記障子の内開き時において、前記上部支持回動部材の先端側が室内側に回動するとともに、前記連動ピンと前記係合長孔との係合により前記上部支持回動部材と一体に前記上部支持取付部材が回動し、前記障子の吊元側となる他方の縦框が縦枠から離れつつ室内側に移動して当該障子が内開きされることが好ましい。
このような構成によれば、上部リンク機構や上部支持回動部材によって縦辷り出し窓と同様の開閉形式となるように上部支持手段を構成したことで、気密ラインを構成する突片を障子に設けた場合でも、突片が窓枠と干渉することなく、円滑に障子の開閉を実施することができる。さらに、上部支持回動部材に設けた係合長孔と上連動部材の連動ピンとの係合または係合解除によって、上部支持手段の閉鎖、内倒しおよび内開きの各状態を切り替えるように構成したことで、操作ハンドルの回動操作に応じて各状態を確実に切り替えることができる。
【発明を実施するための最良の形態】
【００１３】
以下、本発明の実施形態を図面に基づいて説明する。
図１は、本発明の実施形態に係る建具である内倒し兼内開き窓１を示す室内側正面から見た断面図である。図２および図３は、それぞれ内倒し兼内開き窓１の動作を示す斜視図であり、図２は、内倒し開放状態を示す斜視図であり、図３は、内開き開放状態を示す斜視図である。
図１〜図３において、内倒し兼内開き窓１は、戸建て住宅等の建物の外壁開口部に設けられるものであって、外壁開口部に固定される窓枠２と、この窓枠２の内側に支持された障子１０とを備えて構成されている。
【００１４】
窓枠２は、上枠３、下枠４、および左右の縦枠５，６（吊り元側の縦枠５および戸先側の縦枠６）を四周枠組みして形成されている。障子１０は、上框１１、下框１２、および左右の縦框１３，１４（吊り元側の縦框１３および戸先側の縦框１４）を四周框組みした内部に、ガラスパネル１５を嵌め込んで構成されている。この障子１０は、窓枠２との間に設けられた下部支持手段としての第１支持装置２０、上部支持手段としての第２支持装置３０、および第３支持装置４０によって内倒し開閉可能（図２）に支持されるとともに、第１支持装置２０および第２支持装置３０によって内開き開閉可能（図３）に支持されるようになっている。
【００１５】
障子１０の戸先側（図１の左側）の縦框１４には、閉鎖位置、内倒し位置および内開き位置の各位置間を回動操作可能にされた操作ハンドル１６が設けられている。この操作ハンドル１６は、縦框１４に内蔵されたハンドル支持部１６Ａに回動自在に支持され、下向き（０°）の閉鎖位置から横向き（９０°）の内倒し位置、さらには上向き（１８０°）の内開き位置までの間を往復回動操作可能に構成されている。そして、ハンドル支持部１６Ａには、操作ハンドル１６に連結されたピニオンギア（不図示）が内蔵されており、このピニオンギアにはラック１７Ａが噛合され、このラック１７Ａを介して連動部材１７が接続されている。連動部材１７は、操作ハンドル１６の回動操作に連動して障子１０の外周に沿って進退可能に上框１１、下框１２および左右の縦框１３，１４に支持されている。
【００１６】
具体的に説明すると、連動部材１７は、ラック１７Ａの上側に連結されて縦框１４に沿って設けられた第１連動部材１７Ｂ（縦連動部材）と、縦框１４と上框１１との交差部に設けられたコーナー連結部材１７Ｃと、上框１１に沿って設けられた第２連動部材１７Ｄ（上連動部材）と、上框１１と吊り元側（図１の右側）の縦框１３との交差部に設けられたコーナー連結部材１７Ｅと、縦框１３に沿って設けられた第３連動部材１７Ｆとを有している。さらに、連動部材１７は、ラック１７Ａの下側に連結されて縦框１４に沿って設けられた第４連動部材１７Ｇ（縦連動部材）と、縦框１４と下框１２との交差部に設けられたコーナー連結部材１７Ｈとを有して構成されている。これらの第１〜４連動部材１７Ｂ，１７Ｄ，１７Ｆ，１７Ｇおよび各コーナー連結部材１７Ｃ，１７Ｅ，１７Ｈは、各位置で連結されており、操作ハンドル１６の回動操作に連動して第１〜４連動部材１７Ｂ，１７Ｄ，１７Ｆ，１７Ｇが進退移動可能に構成されている。すなわち、操作ハンドル１６を閉鎖位置から内倒し位置（内開き位置）側に回動操作した場合に、第１〜４連動部材１７Ｂ，１７Ｄ，１７Ｆ，１７Ｇが図１における反時計回りに移動し、操作ハンドル１６を内倒し位置（内開き位置）から閉鎖位置側に回動操作した場合に、第１〜４連動部材１７Ｂ，１７Ｄ，１７Ｆ，１７Ｇが図１における時計回りに移動するようになっている。
【００１７】
第１支持装置２０は、下枠４に対して障子１０の縦框１３と下框１２との交差部を、鉛直軸（内開き用回動軸）および水平軸（内倒し用回動軸）の二軸回りに回動自在に支持するものである。この第１支持装置２０は、下枠４と縦框１３および下框１２とを連結するリンク機構（後述）を有して構成されており、内開き時において、吊り元側の縦框１３を室内側に移動させつつ障子１０の戸先側の縦框１４を室内側に回動させるように、障子１０を支持可能に構成されている。また、第１支持装置２０は、内倒し時において、下框１２よりも下方に位置する内倒し用回動軸を中心に障子１０の上框１１側を室内側に回動させるように、障子１０を支持可能に構成されている。
【００１８】
第２支持装置３０は、上枠３に対して障子１０の縦框１３と上框１１との交差部を、鉛直軸（内開き用回動軸）回りに回動自在に支持するとともに、内倒し時において回動支持を解除しかつ障子１０の倒れ角度を制限するものである。この第２支持装置３０は、上枠３と縦框１３および上框１１とを連結するリンク機構（後述）と、連動部材１７の第２連動部材１７Ｄとの係脱機構（後述）とを有して構成されており、内開き時において、吊り元側の縦框１３を室内側に移動させつつ障子１０の戸先側の縦框１４を室内側に回動させるように、障子１０を支持可能に構成されている。また、第２支持装置３０は、内倒し時において、係脱機構により第２連動部材１７Ｄとの係合が外れることで、障子１０の回動支持を解除するように構成され、これにより、障子１０が内倒し開閉できるようになっている。
【００１９】
第３支持装置４０は、下枠４に対して障子１０の下框１２を、水平軸（内倒し用回動軸）回りに回動自在に支持するとともに、内開き時において支持を解除するものである。この第３支持装置４０は、下枠４に固定された支持部４１と、下框１２下面側のコーナー連結部材１７Ｈに固定された突出部４２とを有して構成されており、閉鎖時および内倒し時において、支持部４１に突出部４２が係止されて下框１２の室内側への移動を規制するように構成されている。そして、第３支持装置４０は、内倒し時において、支持部４１に係止された突出部４２位置を内倒し用回動軸として、上框１１側が室内側に回動可能に障子１０を支持するものである。一方、第３支持装置４０は、内開き時において、支持部４１と突出部４２との係合が外れることで、障子１０の回動支持を解除するように構成され、これにより、障子１０が内開き開閉できるようになっている。このような第３支持装置４０における突出部４２は、前記操作ハンドル１６を閉鎖位置および内倒し位置に操作した場合に支持部４１と係合し、操作ハンドル１６を内開き位置に操作した場合に支持部４１との係合が外れるように構成されている。
【００２０】
また、戸先側の縦枠６と縦框１４との間には、障子１０が閉鎖状態の場合にのみ操作ハンドル１６の回動操作を許容し、障子１０が開放された状態では操作ハンドル１６の回動操作を規制するハンドル操作規制装置５０が設けられている。このハンドル操作規制装置５０は、縦框１４の第１連動部材１７Ｂに固定されたトリガー部材５１と、縦枠６に固定された当接部５２とを有して構成され、トリガー部材５１が当接部５２に当接した状態で、第１連動部材１７Ｂの上下進退移動を許容し、トリガー部材５１が当接部５２に当接しない状態で、第１連動部材１７Ｂの上下進退移動を規制するように構成されている。すなわち、障子１０が開放されてトリガー部材５１が当接部５２から離れると、トリガー部材５１による第１連動部材１７Ｂの移動がロックされ、これによりラック１７Ａを介して操作ハンドル１６の回動操作が不能になる。従って、障子１０の内倒し開放時および内開き開放時のいずれの場合にも、操作ハンドル１６を回動操作することができず、第２支持装置３０や第３支持装置４０における回動支持状態が変更されないようになっている。
【００２１】
また、左右の縦枠５，６および縦框１３，１４には、それぞれ２箇所ずつ計４箇所の施錠装置６０が設けられている。この施錠装置６０は、縦枠５，６に固定された錠受け部材６１と、縦框１３，１４における第１、第３、第４連動部材１７Ｂ，１７Ｆ，１７Ｇに固定された突出部６２とを有して構成されており、障子１０の閉鎖時において、操作ハンドル１６を閉鎖位置に回動操作することで、錠受け部材６１の室外面に突出部６２が係合するとともに、突出部６２つまり障子１０を室外側に引き寄せ、これにより障子１０の室内側への開放移動を規制して施錠できるように構成されている。一方、操作ハンドル１６を内倒し位置や内開き位置に回動操作した場合には、錠受け部材６１と突出部６２との係合が外れ、障子１０の移動規制が解除される、つまり障子１０が解錠されるようになっている。
【００２２】
次に、図４〜図９も参照して第１支持装置２０および第２支持装置３０の構造について詳しく説明する。
図４は、内倒し時の第２支持装置３０を示す斜視図であり、図５は、内倒し時の第１支持装置２０を示す斜視図である。図６は、内開き時の第２支持装置３０を示す斜視図であり、図７は、内開き時の第１支持装置２０を示す斜視図である。図８および図９は、それぞれ内開き時の第１支持装置２０を示す平面図および断面図である。
【００２３】
上部支持手段としての第２支持装置３０は、図４、図６に示すように、上枠３に固定される上部支持ベース部材３１と、この上部支持ベース部材３１に上部リンク機構３２を介して基端側が連結されて先端側が室内側に回動自在に支持される上部支持回動部材３３と、この上部支持回動部材３３の先端側に連結されかつ障子１０の上框１１に固定される上部支持取付部材３４とを有して構成されている。ここで、上部リンク機構３２は、第１リンク部材３５、第２リンク部材３６および第３リンク部材３７を有して構成され、この上部リンク機構３２によって上部支持回動部材３３の回動角度と、その基端側の室内側への移動量および縦枠５から離れる方向への移動量とが適宜設定されている。また、第２支持装置３０には、上部支持回動部材３３と上部支持取付部材３４とを連結する第４リンク部材３８が設けられている。以上の第２支持装置３０は、障子１０を閉鎖した状態において、上枠３と上框１１との間に位置するように取り付けられており、障子１０の上框１１室内面から上方に突出した突片１１Ａによって隠蔽されるようになっている。
【００２４】
上部支持取付部材３４には、上框１１に沿って進退移動する第２連動部材１７Ｄに固定された連動ピン１７１を挿通可能な長孔３４１が形成され、上部支持回動部材３３には、前記操作ハンドル１６が閉鎖位置および内開き位置にある場合に連動ピン１７１と係合可能で、操作ハンドル１６が内倒し位置にある場合に連動ピン１７１との係合が外れる係合長孔３３１が形成されている。すなわち、係合長孔３３１の室内側の一部に上方に凸なチャンネル形状の通過部３３２が形成されており、この通過部３３２に連動ピン１７１が位置した場合（操作ハンドル１６を内倒し位置に回動操作した場合）には、図４に示すように、連動ピン１７１が通過部３３２を通過して係合長孔３３１から外れるように構成されている。一方、操作ハンドル１６を閉鎖位置や内開き位置に回動操作した場合には、図６に示すように、連動ピン１７１が係合長孔３３１に係合し、これにより上部支持回動部材３３と上部支持取付部材３４とが一体的に回動するように構成されている。
【００２５】
以上の第２支持装置３０によれば、図４に示す障子１０の内倒し時において、連動ピン１７１が係合長孔３３１から外れた状態で、上部支持回動部材３３の先端側が室内側に回動するとともに、この上部支持回動部材３３に対して上部支持取付部材３４が回動し、上框１１が上枠３に略平行な状態で障子１０が内倒し開放される。この際、上部支持回動部材３３の先端側軸支部分と第４リンク部材３８とのリンクによって、上部支持回動部材３３と上部支持取付部材３４との角度が規制されるようになっており、障子１０が内倒し角度が制限されて所定の開放位置で障子１０が保持されるようになっている。
一方、障子１０の内開き時において、連動ピン１７１が係合長孔３３１に係合した状態で、上部支持回動部材３３の先端側が室内側に回動するとともに、この上部支持回動部材３３と一体で上部支持取付部材３４が回動して障子１０が内開き開放される。この際、上部支持回動部材３３の基端部である第１リンク部材３５との連結位置（回動軸）が、第１〜第３リンク部材３５，３６，３７の作用で縦枠５から離れつつ室内側に移動し、つまり吊元側の縦框１３が縦枠５から離れる方向でかつ室内側に移動しつつ障子１０が内開きされる。すなわち、一般的な縦辷り出し窓と同様の開閉形式で障子１０が開閉されるようになっている。
【００２６】
次に、下部支持手段としての第１支持装置２０は、図５、図７〜９に示すように、下枠４に固定される下部支持ベース部材２１と、この下部支持ベース部材２１に基端側が回動自在に連結される下部支持回動部材２２と、この下部支持回動部材２２の先端側に連結されかつ障子１０に固定される下部支持取付部材２３とを有して構成されている。さらに、第１支持装置２０は、下部支持ベース部材２１に一端が軸支される下部支持第１リンク部材２４と、下部支持回動部材２２の基端部に一端が軸支され他端が下部支持第１リンク部材２４の中間位置に軸支される下部支持第２リンク部材２５と、下部支持回動部材２２の先端側および下部支持第１リンク部材２４の他端に回動自在に連結される下部支持第３リンク部材２６とを有し、この下部支持第３リンク部材２６の上面に下部支持取付部材２３が連結されている。この第１支持装置２０では、下部支持取付部材２３と下部支持回動部材２２とが若干のガタをもって連結されており、障子１０の内倒し時において、下部支持取付部材２３が下部支持回動部材２２、下部支持第１リンク部材２４および下部支持第３リンク部材２６に対して室内側に倒れる方向に回動し、これにより障子１０が内倒し開放される。
【００２７】
また、第１支持装置２０は、障子１０の内開き時において、下部支持第１リンク部材２４の他端側が室内側に回動するとともに、下部支持第２リンク部材２５を介して下部支持回動部材２２の基端部の回動軸が下部支持第１リンク部材２４の一端側（図８の左側であり、縦枠５から離れる側）にスライドしつつ、この下部支持回動部材２２の先端側が室内側に回動するようになっている。そして、下部支持回動部材２２および下部支持第１リンク部材２４に連動して、下部支持第３リンク部材２６および下部支持取付部材２３が回動することで、障子１０が内開き開放される。この際、下部支持回動部材２２がスライドしつつ回動することで、障子１０の吊元側の縦框１３が縦枠５から離れる方向でかつ室内側に移動しつつ障子１０が内開きされる。すなわち、一般的な縦辷り出し窓と同様の開閉形式で障子１０が開閉されるようになっている。
【００２８】
以上の第１支持装置２０において、下部支持ベース部材２１の室外側の端縁には、立上片２１１と、この立上片２１１に設けられた挿通孔２１２とが形成され、この挿通孔２１２に下部支持回動部材２２の一部である被規制部２２１が挿通されている。そして、立上片２１１の室外面には、挿通孔２１２の上辺部に沿った補強片２１３が固定され、挿通孔２１２の上辺部および補強片２１３に被規制部２２１が当接可能に構成されている。すなわち、立上片２１１、挿通孔２１２および補強片２１３によって規制部が構成され、この規制部に下部支持回動部材２２の被規制部２２１が当接することで、被規制部２２１の上方への移動が規制される。従って、障子１０の内開き時において、先端側が室内側に移動した状態の下部支持回動部材２２に障子１０の重量が作用しても、下部支持回動部材２２の基端側の被規制部２２１が挿通孔２１２の上辺部および補強片２１３に当接することで、図９に矢印で示すような梃子の作用により、下部支持回動部材２２の回転が規制されて障子１０の垂れ下がりが防止できるようになっている。
【００２９】
また、下部支持ベース部材２１の縦枠５側の端部には、傾斜案内面２１４が形成され、下部支持第３リンク部材２６の端部には、被案内突部２６１が形成されている。この被案内突部２６１は、内開き状態から障子１０を閉鎖する際に傾斜案内面２１４に摺接して室外側に案内されるようになっており、障子１０を閉じきった際に障子１０の吊元側が室外側に引き寄せられるようになっている。このように傾斜案内面２１４および被案内突部２６１による引き寄せ機構を設けたことで、障子１０を閉鎖した状態で下框１２と下枠４との間、および縦框１３と縦枠５との間の気密性や水密性を確保することができるようになっている。
【００３０】
このような本実施形態によれば、以下のような効果がある。
（１）すなわち、第２支持装置３０を介して障子１０の上框１１が上枠３に連結、支持され、第１支持装置２０を介して障子１０の下框１２が下枠４に連結、支持されているので、従来のようなヒンジ部材が室内側に露出することなく、第２支持装置３０および第１支持装置２０が室内側に露出しないように隠蔽でき、内倒し兼内開き窓１の意匠性を向上させることができる。そして、第１支持装置２０および第２支持装置３０によって障子１０が縦辷り出し窓と同様の開閉形式で支持可能になり、多様な障子の開閉形式に対応させることができるようになる。
【００３１】
（２）さらに、障子１０の吊元側の縦框１３が縦枠５から離れかつ室内側に移動するような内開き形式で障子１０が開放された場合でも、下部支持回動部材２２の被規制部２２１が下部支持ベース部材２１の挿通孔２１２および補強片２１３に当接し、その上方への移動が規制される。従って、下部支持回動部材２２の先端側に障子１０の重量が作用して、下部支持回動部材２２の基端側に偏心モーメントが作用しても、この偏心モーメントを下部支持ベース部材２１および下枠４で確実に支持でき、内開き時の障子の垂れ下がりを防止することができる。
【００３２】
（３）また、下部支持ベース部材２１の立上片２１１に挿通孔２１２を設けて規制部を構成し、下部支持回動部材２２の基端側に設けた被規制部２２１を挿通孔２１２に挿通するだけの簡単な構造により障子１０の重量を確実に支持することができる。そして、挿通孔２１２の上辺部に沿った補強片２１３を立上片２１１に固定したことで、下部支持ベース部材２１全体や立上片２１１全長の板厚を厚くしなくても、被規制部２２１が当接する挿通孔２１２の上辺部近傍のみを補強することができ、安価かつ確実に規制部の支持強度を高めることができる。
【００３３】
（４）さらに、前述のように障子１０が縦辷り出し窓と同様の形式で開閉可能に構成されているので、障子１０の室内面において上框１１、下框１２、および左右の縦框１３，１４から見付け方向外方に延びる突片（例えば、上框１１の突片１１Ａ）を設けた場合でも、これらの突片が窓枠２と干渉することなく、円滑に障子１０の開閉を実施することができる。さらに、突片によって第１支持装置２０や第２支持装置３０、第３支持装置４０等を隠蔽することもでき、内倒し兼内開き窓１の意匠性を一層良好なものにすることができる。
【００３４】
なお、本発明は、前記実施形態に限定されるものではなく、本発明の目的を達成できる他の構成等を含み、以下に示すような変形等も本発明に含まれる。
例えば、前記実施形態においては、内倒し兼内開き窓１について説明したが、本発明の建具は、内開き兼内倒し窓であってもよい。すなわち、操作ハンドルの回動操作が閉鎖位置から内開き位置、内倒し位置の順に設定され、これに対応して第２支持装置３０や第３支持装置４０における係脱順が設定された内開き兼内倒し窓に、前記第１支持装置２０を適用してもよい。
【００３５】
また、前記実施形態では、第１支持装置２０において、下部支持第１リンク部材２４および下部支持第２リンク部材２５を用いて下部支持回動部材２２および下部支持取付部材２３の回動動作を規定する構成を採用したが、このような構成に限らず、下部支持回動部材や下部支持取付部材の回動動作を他の機構で規定する構成や、あるいは下部支持回動部材や下部支持取付部材の回動動作を規定しない構成であってもよい。
これと同様に、第２支持装置３０において、上部支持回動部材３３の回動動作を上部リンク機構３２で規定する構成に限らず、他の機構で上部支持回動部材の回動動作を規定する構成や、あるいは上部支持回動部材の回動動作を規定しない構成であってもよい。
また、前記実施形態では、下部支持ベース部材２１の立上片２１１、挿通孔２１２および補強片２１３によって規制部を構成したが、規制部としては、挿通孔に限らず、下部支持回動部材の基端側の上方への移動を規制できるものであればよく、任意の構成が採用可能である。
【００３６】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３７】
【図１】本発明の実施形態に係る建具を示す正面から見た断面図である。
【図２】前記建具の動作（内倒し）を示す斜視図である。
【図３】前記建具の動作（内開き）を示す斜視図である。
【図４】前記建具における上部支持手段の動作（内倒し）を示す斜視図である。
【図５】前記建具における下部支持手段の動作（内倒し）を示す斜視図である。
【図６】前記上部支持手段の動作（内開き）を示す斜視図である。
【図７】前記下部支持手段の動作（内開き）を示す斜視図である。
【図８】前記下部支持手段を示す平面図である。
【図９】前記下部支持手段を示す断面図である。
【符号の説明】
【００３８】
１…建具である内倒し兼内開き窓、２…窓枠、３…上枠、４…下枠、５，６…縦枠、１０…障子、１１…上框、１２…下框、１３，１４…縦框、１５…面材であるガラスパネル、１６…操作ハンドル、１７Ｂ…連動部材（縦連動部材）、１７Ｄ…連動部材（上連動部材）、２０…第１支持装置（下部支持手段）、２１…下部支持ベース部材、２２…下部支持回動部材、２３…下部支持取付部材、２４…下部支持第１リンク部材、２５…下部支持第２リンク部材、２６…下部支持第３リンク部材、３０…第２支持装置（上部支持手段）、３１…上部支持ベース部材、３２…上部リンク機構、３３…上部支持回動部材、３４…上部支持取付部材、１７１…連動ピン、２１１…立上片、２１２…挿通孔、２１３…補強片、２２１…被規制部、３３１…係合長孔、３４１…長孔。
【図１】
2008180046.tif 000003
【図２】
2008180046.tif 000004
【図３】
2008180046.tif 000005
【図４】
2008180046.tif 000006
【図５】
2008180046.tif 000007
【図６】
2008180046.tif 000008
【図７】
2008180046.tif 000009
【図８】
2008180046.tif 000010
【図９】
2008180046.tif 000011